(57)【要約】【課題】複数の電気分解装置を備える電気分解システムにおいて、電極や循環用ポンプに起因するコストアップを抑制しつつ、電気分解効率を高める。【解決手段】電気分解システム１００は、複数の電気分解装置４１と、複数の電気分解装置４１に水を送る上流側主流路２７Ａと、複数の電気分解装置４１の少なくとも１つを通った水を水熱交換器２１に送る下流側主流路２７Ｂと、複数の電気分解装置４１の少なくとも１つを通った水の一部をこれらの電気分解装置４１の上流側に戻す循環流路８１と、複数の電気分解装置４１のうち上流側主流路２７Ａが接続された電気分解装置４１に流入する主流の流量Ｇｗよりも、循環流路８１を流れる循環流の流量Ｇｃが多くなるように循環流の流量Ｇｃを調節する１つの循環用ポンプ８２と、を備える。【選択図】図４
2015047576.tif 000002
【特許請求の範囲】
【請求項１】
水熱交換器（２１）に送る水に含まれるスケール成分を除去する電気分解システムであって、
複数の電気分解装置（４１）と、
前記複数の電気分解装置（４１）に水を送る上流側主流路（２７Ａ）と、
前記複数の電気分解装置（４１）の少なくとも１つを通った水を前記水熱交換器（２１）に送る下流側主流路（２７Ｂ）と、
前記複数の電気分解装置（４１）の少なくとも１つを通った水の一部をこれらの電気分解装置（４１）の上流側に戻す循環流路（８１）と、
前記複数の電気分解装置（４１）のうち前記上流側主流路（２７Ａ）が接続された電気分解装置（４１）に流入する主流の流量よりも、前記循環流路（８１）を流れる循環流の流量が多くなるように前記循環流の流量を調節する１つの循環用ポンプ（８２）と、を備える電気分解システム。
【請求項２】
前記循環流路（８１）は、前記複数の電気分解装置（４１）を直列に接続している、請求項１に記載の電気分解システム。
【請求項３】
前記複数の電気分解装置（４１）は、前記上流側主流路（２７Ａ）及び前記下流側主流路（２７Ｂ）に対して並列に接続されている、請求項１又は２に記載の電気分解システム。
【請求項４】
前記複数の電気分解装置（４１）は、前記上流側主流路（２７Ａ）及び前記下流側主流路（２７Ｂ）に対して直列に接続されている、請求項１又は２に記載の電気分解システム。
【請求項５】
前記複数の電気分解装置（４１）は、電源に対して並列に接続されている、請求項３に記載の電気分解システム。
【請求項６】
前記複数の電気分解装置（４１）を含む少なくとも４つの電気分解装置（４１）を備え、
前記少なくとも４つの電気分解装置（４１）のうちの２つ以上の電気分解装置（４１）が直列に接続された第１セットと、これらとは別の２つ以上の電気分解装置（４１）が直列に接続された第２セットとが、前記上流側主流路（２７Ａ）及び前記下流側主流路（２７Ｂ）に対して並列に接続されている、請求項１〜４の何れか１項に記載の電気分解システム。
【請求項７】
前記第１セットの上流側の電気分解装置（４１）と、前記第２セットの上流側の電気分解装置（４１）とは、第１電源に対して並列に接続されており、
前記第１セットの下流側の電気分解装置（４１）と、前記第２セットの下流側の電気分解装置（４１）とは、第２電源に対して並列に接続されている、請求項６に記載の電気分解システム。
【請求項８】
前記循環流路（８１）は、前記第１セットの前記２つ以上の電気分解装置（４１）を直列に接続する第１循環流路（８１）であり、
前記第２セットの前記２つ以上の電気分解装置（４１）は、第２循環流路（８１）によって直列に接続されており、
前記循環用ポンプ（８２）は、前記第１循環流路（８１）を流れる第１循環流の流量が前記主流の流量よりも多くなるように前記第１循環流の流量を調節する第１循環用ポンプ（８２）であり、
前記第２循環流路（８１）を流れる第２循環流の流量は、前記主流の流量よりも多くなるように第２循環用ポンプ（８２）によって調節される、請求項６又は７に記載の電気分解システム。
【請求項９】
前記循環流路（８１）は、前記第１セットの上流側の電気分解装置（４１）と、前記第２セットの上流側の電気分解装置（４１）とを直列に接続する第１循環流路（８１）であり、
前記第１セットの下流側の電気分解装置（４１）と、前記第２セットの下流側の電気分解装置（４１）とは、第２循環流路（８１）によって直列に接続されており、
前記循環用ポンプ（８２）は、前記第１循環流路（８１）を流れる第１循環流の流量が前記主流の流量よりも多くなるように前記第１循環流の流量を調節する第１循環用ポンプ（８２）であり、
前記第２循環流路（８１）を流れる第２循環流の流量は、前記主流の流量よりも多くなるように第２循環用ポンプ（８２）によって調節される、請求項６又は７に記載の電気分解システム。
【請求項１０】
前記循環流路（８１）は、前記第１セットの前記２つ以上の電気分解装置（４１）と、前記第２セットの前記２つ以上の電気分解装置（４１）とを直列に接続している、請求項６又は７に記載の電気分解システム。
【請求項１１】
前記循環流の流量は、前記主流の流量の５倍以上である、請求項１〜１０の何れか１項に記載の電気分解システム。
【請求項１２】
少なくとも１つの電気分解装置（４１）は、厚み方向に貫通する通水孔が設けられた電極を有する、請求項１〜１１の何れか１項に記載の電気分解システム。
【請求項１３】
各電気分解装置（４１）は、容器と、前記容器内に設けられた板形状を有する複数の電極とを備え、
前記複数の電極は、前記容器内において、厚み方向に互いに間隔をあけて配列されることによって蛇行流路を形成している、請求項１〜１２の何れか１項に記載の電気分解システム。
【請求項１４】
水を加熱する水熱交換器（２１）と、
請求項１〜１３の何れか１項に記載の電気分解システムと、を備え、前記水熱交換器（２１）において温度調節された水を供給する温度調節水供給機。
【発明の詳細な説明】
【技術分野】
【０００１】
本発明は、電気分解システム、及びこれを備えるヒートポンプ給湯機、ヒートポンプ温水暖房機、燃焼式給湯機、燃焼式温水暖房機、電気温水機、冷却塔などの温度調節水供給機に関するものである。
【背景技術】
【０００２】
水道水や地下水には、スケールの発生原因となるカルシウムイオン、マグネシウムイオンなどの成分（スケール成分）が含まれている。したがって、給湯機などの温度調節水供給機においては、カルシウム塩（例えば炭酸カルシウム）、マグネシウム塩（例えば炭酸マグネシウム）などのスケールが析出することがある。温度調節水供給機の水熱交換器では水が加熱されて水の温度が高くなるので、特にスケールが析出しやすい。スケールが水熱交換器における管の内面に析出して堆積すると、水熱交換器の伝熱性能が低下する、管の流路が狭くなるなどの問題が生じることがある。
【０００３】
特許文献１には、水熱交換器においてスケールが付着するのを抑制するために、水熱交換器よりも上流に設けられた電気分解装置において、水中のスケール成分を電気分解によって除去する技術が提案されている。前記電気分解装置は、水が出入りする水入口及び水出口を有する容器と、容器内に配置された電極対とを備える。電極対に電圧が印加された状態で水が水入口を通じて容器内に供給されると、電極対の陰極側において炭酸カルシウム等のスケールが析出する。これにより、水出口を通じて容器外に流出する水に含まれるスケール成分の濃度が低減される。
【０００４】
また、特許文献２には、大容量のヒートポンプ給湯機において水熱交換器におけるスケールの析出を抑制する効果を高めるために、複数の電気分解装置を連結する技術が開示されている。
【先行技術文献】
【特許文献】
【０００５】
【特許文献１】特開２０１２−７５９８２号公報
【特許文献２】特開２０１３−６１１４１号公報
【発明の概要】
【発明が解決しようとする課題】
【０００６】
ところで、水熱交換器におけるスケールの析出を抑制する効果をさらに高めるためには、電気分解装置において電気分解効率を高める必要がある。特許文献１の図１２には、電気分解装置を通過した水を循環用ポンプによって電気分解装置の上流側に戻して電気分解装置に再度流入させる循環技術が開示されている。しかしながら、ここに開示されている循環技術を採用するだけでは電気分解効率の向上効果が十分ではない場合がある。
【０００７】
したがって、電気分解効率を高めるためには、電極面積を大きくする、電極枚数を多くするなどの対策が必要となる。一般に、電気分解装置における電極には、不溶性電極（例えば白金電極）のように非常に高価な材料が用いられるので、電極面積の増加又は電極枚数の増加は、コストアップの点で大きな影響を与える。
【０００８】
特に、大容量のヒートポンプ給湯機において複数の電気分解装置を連結する構成を採用する場合、電極に起因するコストアップが顕著となる。また、この場合、複数の電気分解装置のそれぞれに循環用ポンプを設ける必要がある。このため、大きな設置スペースが必要になるとともに、コストアップにもつながる。
【０００９】
本発明の目的は、複数の電気分解装置を備える電気分解システムにおいて、電極や循環用ポンプに起因するコストアップを抑制しつつ、電気分解効率を高めることである。
【課題を解決するための手段】
【００１０】
本発明の電気分解システムは、水熱交換器（２１）に送る水に含まれるスケール成分を除去するためのものである。前記電気分解システムは、複数の電気分解装置（４１）と、前記複数の電気分解装置（４１）に水を送る上流側主流路（２７Ａ）と、前記複数の電気分解装置（４１）の少なくとも１つを通った水を前記水熱交換器（２１）に送る下流側主流路（２７Ｂ）と、前記複数の電気分解装置（４１）の少なくとも１つを通った水の一部をこれらの電気分解装置（４１）の上流側に戻す循環流路（８１）と、前記複数の電気分解装置（４１）のうち前記上流側主流路（２７Ａ）が接続された電気分解装置（４１）に流入する主流の流量よりも、前記循環流路（８１）を流れる循環流の流量が多くなるように前記循環流の流量を調節する１つの循環用ポンプ（８２）と、を備える。
【００１１】
この構成では、複数の電気分解装置（４１）を備える電気分解システムにおいて、電極や循環用ポンプに起因するコストアップを抑制しつつ、電気分解効率を高めることができる。その理由は次の通りである。
【００１２】
電気分解装置（４１）における電極間の水流路において電気分解が行われると、陰極側の領域ではスケールが析出するのでスケール成分の濃度が低下する。したがって、陰極側の領域のスケール成分濃度は、陽極側の領域のスケール成分濃度に比べて小さくなる。このため、スケールの析出が鈍化して、スケール成分除去効率（電気分解効率）が低下する。
【００１３】
また、ヒートポンプ給湯機などの温度調節水供給機では、水熱交換器（２１）において加熱される水の量（水熱交換器（２１）に送られる水量）と電気分解システムにおいて電気分解処理される水の量とが同じである。このため、電気分解システムの電気分解装置（４１）において電極間の水流路を流れる水の速度は遅く、水流路の水の流れは層流となる。したがって、陽極側の領域にはスケール成分濃度の比較的高い水が存在するにもかかわらず、上述した陰極側の領域のスケール成分濃度は、低いまま維持され、十分な電気分解効率を得るのが難しい。
【００１４】
そこで、本構成では、上流側主流路（２７Ａ）が接続された電気分解装置（４１）に流入する主流の流量よりも、循環流路（８１）を流れる循環流の流量が多くなるように循環用ポンプ（８２）によって循環流の流量を調節し、複数の電気分解装置（４１）と循環流路（８１）とによって構成される循環回路において水を強制的に循環させることにより、電極間の水流路を流れる水の流速が高められる。これにより、水流路において水が撹拌され、陰極側の領域のスケール成分濃度と、陽極側の領域のスケール成分濃度との差が低減される。その結果、陰極側の領域のスケール成分濃度が、循環流路（８１）及び循環用ポンプ（８２）を備えていない場合に比べて高くなるので、スケール成分除去効率が向上する。よって、電気分解効率を高めるために、電極面積を大きくする、電極枚数を多くするなどの対策が不要になる。
【００１５】
また、本構成では、複数の電気分解装置（４１）における水の循環が、１つの循環用ポンプによって行われるので、複数の電気分解装置（４１）のそれぞれに循環用ポンプを設ける場合に比べて、循環用ポンプに起因するコストアップを抑制し、循環用ポンプを設置するために必要なスペースを小さくすることができる。
【００１６】
前記電気分解システムにおいて、前記循環流路（８１）は、前記複数の電気分解装置（４１）を直列に接続しているのが好ましい。
【００１７】
この構成では、循環流路（８１）が複数の電気分解装置（４１）を直列に接続しているので、循環流路が複数の電気分解装置を並列に接続している場合に比べて、循環流の総量が同じ場合、各電気分解装置（４１）を循環する循環流の流量を大きくすることができる。したがって、循環流路（８１）による直列接続は、循環流路による並列接続に比べて、各電気分解装置（４１）において水流路を流れる水を撹拌する効果を高くすることができる。
【００１８】
前記電気分解システムにおいて、前記複数の電気分解装置（４１）が前記上流側主流路（２７Ａ）及び前記下流側主流路（２７Ｂ）に対して並列に接続されている形態が例示できる。
【００１９】
この構成では、複数の電気分解装置（４１）が主流路（２７Ａ，２７Ｂ）に対して並列に接続されている。このように主流路（２７Ａ，２７Ｂ）に対する並列接続では、上流側主流路（２７Ａ）を流れる水は、複数の電気分解装置（４１）に分流されるので、各電気分解装置（４１）を流れる水の量が小さくなりやすい。したがって、主流路（２７Ａ，２７Ｂ）に対する並列接続においては、上述のような循環流路（８１）及び循環用ポンプ（８２）によって各電気分解装置（４１）を流れる水量を増大させて電極間の水流路を流れる水の流速を高める意義は大きい。
【００２０】
前記電気分解システムにおいて、前記複数の電気分解装置（４１）が前記上流側主流路（２７Ａ）及び前記下流側主流路（２７Ｂ）に対して直列に接続されている形態を例示できる。
【００２１】
この構成では、複数の電気分解装置（４１）が主流路（２７Ａ，２７Ｂ）に対して直列に接続されている。このように主流路（２７Ａ，２７Ｂ）に対する直列接続では、主流路（２７Ａ，２７Ｂ）を流れる水の総量が同じ場合、上述したような主流路（２７Ａ，２７Ｂ）に対する並列接続に比べて、各電気分解装置（４１）を流れる水の量が大きく、しかも、循環流路（８１）及び循環用ポンプ（８２）によって各電気分解装置（４１）を流れる水量を増大させて電極間の水流路を流れる水の流速をさらに高めることができる。
【００２２】
複数の電気分解装置（４１）が主流路（２７Ａ，２７Ｂ）に対して並列に接続されている形態の電気分解システムにおいて、前記複数の電気分解装置（４１）は、電源に対して並列に接続されているのが好ましい。
【００２３】
この構成では、複数の電気分解装置（４１）と電源とによって並列の電気回路が形成されている。この場合、電源によってそれぞれの電気分解装置（４１）に対して同じ電圧がかかる。したがって、複数の電気分解装置（４１）において電気分解の性能に差が生じて、何れかの電気分解装置（４１）内を流れる水におけるスケール成分の濃度が、他の電気分解装置（４１）内を流れる水におけるスケール成分の濃度に比べて大きく低下した場合、その電気分解装置（４１）内の水における電気伝導率が低下する。電気伝導率が低下した電気分解装置（４１）では、電流値が低下するので、電気分解効率が低下して他の電気分解装置（４１）における電気分解効率とのバランスがとられる。
【００２４】
前記電気分解システムの基本的な構成は上記の通りであるが、前記電気分解システムは、以下に例示するような多数の電気分解装置（４１）を備えた形態であってもよい。この形態の電気分解システムは、前記複数の電気分解装置（４１）を含む少なくとも４つの電気分解装置（４１）を備え、前記少なくとも４つの電気分解装置（４１）のうちの２つ以上の電気分解装置（４１）が直列に接続された第１セットと、これらとは別の２つ以上の電気分解装置（４１）が直列に接続された第２セットとが、前記上流側主流路（２７Ａ）及び前記下流側主流路（２７Ｂ）に対して並列に接続されている。
【００２５】
この構成では、多数の電気分解装置（４１）を備えているので、大容量のヒートポンプ給湯機などの温度調節水供給機において、水熱交換器（２１）におけるスケールの析出を抑制する所望の効果を得ることができる。
【００２６】
また、多数の電気分解装置（４１）を備えた電気分解システムにおいて、前記第１セットの上流側の電気分解装置（４１）と、前記第２セットの上流側の電気分解装置（４１）とは、第１電源に対して並列に接続されており、前記第１セットの下流側の電気分解装置（４１）と、前記第２セットの下流側の電気分解装置（４１）とは、第２電源に対して並列に接続されているのが好ましい。
【００２７】
この構成では、第１セットの上流側の電気分解装置（４１）と、第２セットの上流側の電気分解装置（４１）と、第１電源とによって並列の電気回路が形成されている。この場合、第１電源によってそれぞれの電気分解装置（４１）に対して同じ電圧がかかる。また、第１セットの下流側の電気分解装置（４１）と、第２セットの下流側の電気分解装置（４１）と、第２電源とによって並列の電気回路が形成されている。この場合、第２電源によってそれぞれの電気分解装置（４１）に対して同じ電圧がかかる。
【００２８】
したがって、第１セットの上流側の電気分解装置（４１）と第２セットの上流側の電気分解装置（４１）において電気分解の性能に差が生じて、何れかの電気分解装置（４１）内を流れる水におけるスケール成分の濃度が、他の電気分解装置（４１）内を流れる水におけるスケール成分の濃度に比べて大きく低下した場合、その電気分解装置（４１）内の水における電気伝導率が低下する。電気伝導率が低下した電気分解装置（４１）では、電流値が低下するので、電気分解効率が低下して他の電気分解装置（４１）における電気分解効率とのバランスがとられる。第１セットの下流側の電気分解装置（４１）と第２セットの下流側の電気分解装置（４１）においても同様の理由で電気分解効率のバランスがとられる。
【００２９】
第３実施形態の電気分解システムでは、前記循環流路（８１）は、前記第１セットの前記２つ以上の電気分解装置（４１）を直列に接続する第１循環流路（８１）であり、前記第２セットの前記２つ以上の電気分解装置（４１）は、第２循環流路（８１）によって直列に接続されており、前記循環用ポンプ（８２）は、前記第１循環流路（８１）を流れる第１循環流の流量が前記主流の流量よりも多くなるように前記第１循環流の流量を調節する第１循環用ポンプ（８２）であり、前記第２循環流路（８１）を流れる第２循環流の流量は、前記主流の流量よりも多くなるように第２循環用ポンプ（８２）によって調節される。
【００３０】
この構成では、２つ以上の電気分解装置（４１）が直列に接続された第１セットにおいて、これらの電気分解装置（４１）を第１循環流路（８１）が直列に接続しており、２つ以上の電気分解装置（４１）が直列に接続された第２セットにおいて、これらの電気分解装置（４１）を第２循環流路（８１）が直列に接続している。したがって、複数の電気分解装置（４１）を接続する配管の配置をシンプルにすることができる。
【００３１】
第４実施形態の電気分解システムでは、前記循環流路（８１）は、前記第１セットの上流側の電気分解装置（４１）と、前記第２セットの上流側の電気分解装置（４１）とを直列に接続する第１循環流路（８１）であり、前記第１セットの下流側の電気分解装置（４１）と、前記第２セットの下流側の電気分解装置（４１）とは、第２循環流路（８１）によって直列に接続されており、前記循環用ポンプ（８２）は、前記第１循環流路（８１）を流れる第１循環流の流量が前記主流の流量よりも多くなるように前記第１循環流の流量を調節する第１循環用ポンプ（８２）であり、前記第２循環流路（８１）を流れる第２循環流の流量は、前記主流の流量よりも多くなるように第２循環用ポンプ（８２）によって調節される。
【００３２】
この構成では、第１循環流路（８１）が、第１セットにおける上流側の電気分解装置（４１）と第２セットにおける上流側の電気分解装置（４１）とを直列に接続し、第２循環流路（８１）が、第１セットにおける下流側の電気分解装置（４１）と第２セットにおける下流側の電気分解装置（４１）とを直列に接続している。したがって、例えば第１循環用ポンプ（８２）と第２循環用ポンプ（８２）を制御して、第１循環流の流量と、第２循環流の流量とを異ならせることも可能になる。具体的に、例えば下流側の電気分解装置（４１）内を流れる水のスケール成分濃度が、上流側の電気分解装置（４１）内を流れる水のスケール成分濃度よりも小さい場合には、第２循環流の流量を第１循環流の流量よりも大きくするという制御が例示できる。この制御によれば、下流側の電気分解装置（４１）において、上流側の電気分解装置（４１）よりも水の撹拌効果を高くすることができ、これにより、スケールを除去する効果が低下するのを抑制できる。
【００３３】
第５実施形態の電気分解システムでは、前記循環流路（８１）は、前記第１セットの前記２つ以上の電気分解装置（４１）と、前記第２セットの前記２つ以上の電気分解装置（４１）とを直列に接続している。
【００３４】
この構成では、循環流路（８１）が、第１セットの複数の電気分解装置と第２セットの複数の電気分解装置とを直列に接続しているので、この循環流路（８１）に１つの循環用ポンプ（８２）を設けるだけで、これらの電気分解装置（４１）において水を循環させることができる。これにより、循環用ポンプ（８２）の台数をできるだけ少なくできる。
【００３５】
前記電気分解システムにおいて、電気分解装置（４１）内の水流路における水の撹拌効果の観点では、前記循環流の流量は、前記主流の流量の５倍以上であるのが好ましい。
【００３６】
前記電気分解システムにおいて、少なくとも１つの電気分解装置（４１）が、厚み方向に貫通する通水孔が設けられた電極を有している場合には、循環流路（８１）によって循環流の流量を大きくすることによる撹拌作用だけでなく、通水孔（５３）による撹拌作用も得られるので、これらの相乗効果によって電気分解効率が顕著に向上する。
【００３７】
前記電気分解システムにおいて、各電気分解装置（４１）は、容器と、前記容器内に設けられた板形状を有する複数の電極とを備え、前記複数の電極は、前記容器内において、厚み方向に互いに間隔をあけて配列されることによって蛇行流路を形成しているのが好ましい。
【００３８】
この構成では、各電気分解装置（４１）が蛇行流路を有しているので、水流路の流路長を大きくして電気分解の効率を高めることができる。
【００３９】
本発明の温度調節水供給機は、水を加熱する水熱交換器（２１）と、前記電気分解システム（１００）と、を備え、前記水熱交換器（２１）において温度調節された水を供給する。
【００４０】
この構成では、大容量の温度調節水供給機にも対応できる上記のような電気分解システムを備えている。しかも、少なくとも２つの電気分解装置（４１）における水の循環が、１つの循環用ポンプによって行われるので、複数の電気分解装置（４１）のそれぞれに循環用ポンプを設ける場合に比べて、循環用ポンプに起因するコストアップを抑制し、循環用ポンプを設置するために必要なスペースを小さくすることができる。
【発明の効果】
【００４１】
以上説明したように、本発明によれば、複数の電気分解装置を備える電気分解システムにおいて、電極や循環用ポンプに起因するコストアップを抑制しつつ、電気分解効率を高めることができる。
【図面の簡単な説明】
【００４２】
【図１】本発明の実施形態に係る電気分解システムを備えるヒートポンプ給湯機を示す構成図である。
【図２】前記電気分解システムに用いられる電気分解装置の一例を示す概略の斜視図である。
【図３】（Ａ）は、前記電気分解装置を鉛直方向に平行な平面で切断したときの断面図であり、（Ｂ）は、前記電気分解装置を水平方向に平行な平面で切断したときの断面図である。
【図４】本発明の第１実施形態に係る電気分解システムを示す断面図である。
【図５】本発明の第２実施形態に係る電気分解システムを示す断面図である。
【図６】本発明の第３実施形態に係る電気分解システムを示す断面図である。
【図７】本発明の第４実施形態に係る電気分解システムを示す断面図である。
【図８】本発明の第５実施形態に係る電気分解システムを示す断面図である。
【図９】本発明の第６実施形態に係る電気分解システムを示す断面図である。
【図１０】電気分解装置の変形例を示す断面図である。
【図１１】電気分解装置の電極の変形例を示す正面図である。
【図１２】（Ａ）は、電気分解装置の電極の変形例を示す側面図であり、（Ｂ）は、（Ａ）のＢ−Ｂ線断面図である。
【図１３】前記電気分解装置を備えた冷却塔、燃焼式給湯機、燃焼式の温水暖房機又は電気温水機の構成を示す概略図である。
【発明を実施するための形態】
【００４３】
以下、本発明の実施形態に係る電気分解システム、及びこれを備える温度調節水供給機について図面を参照しながら説明する。温度調節水供給機は、水を加熱する水熱交換器２１と、電気分解システム１００と、を備え、温度調節された水を供給するための装置である。温度調節水供給機としては、ヒートポンプ給湯機、ヒートポンプ温水暖房機、燃焼式給湯機、燃焼式温水暖房機、電気温水機、冷却塔などが例示できるが、以下では主にヒートポンプ給湯機について説明する。
【００４４】
［ヒートポンプ給湯機］
図１に示すように、本実施形態に係るヒートポンプ給湯機１１は、冷媒回路１０ａと、貯湯回路１０ｂとを備えている。冷媒回路１０ａは、圧縮機１９、水熱交換器２１、膨張機構としての電動膨張弁２３、空気熱交換器２５、及びこれらを接続する冷媒配管を含む。貯湯回路１０ｂは、タンク１５、メインポンプ３１、電気分解システム１００、水熱交換器２１を含む。水熱交換器２１は、２つの流路を有し、一方の流路は、冷媒回路１０ａに含まれており、他方の流路は、貯湯回路１０ｂに含まれている。冷媒回路１０ａ及び貯湯回路１０ｂの運転は、制御部３２によって制御される。
【００４５】
圧縮機１９、水熱交換器２１、電動膨張弁２３及び空気熱交換器２５はヒートポンプユニット１３内に設けられている。タンク１５及びメインポンプ３１は、貯湯ユニット１７内に設けられている。タンク１５の水は、入水配管２７を通じて水熱交換器２１に送られる。水熱交換器２１と熱交換して加熱された水は、出湯配管２９を通じてタンク１５に戻される。
【００４６】
メインポンプ３１は、貯湯回路１０ｂにおいて水を送るためのものであり、本実施形態では入水配管２７に設けられているが、メインポンプ３１の配設位置はこれに限定されない。メインポンプ３１の運転により、タンク１５内の水は、タンク１５の下部から流出し、入水配管２７、水熱交換器２１および出湯配管２９の順に送られて、タンク１５の上部に戻る。
【００４７】
本実施形態では、冷媒回路１０ａを循環する冷媒として二酸化炭素を用いているが、これに限定されない。この冷媒回路１０ａでは、冷媒の高圧圧力が超臨界圧力になるように圧縮機１９で圧縮される。つまり、冷媒回路１０ａでは、高圧圧力が超臨界圧力になる冷凍サイクルが行われる。冷媒回路１０ａを循環する冷媒は、水熱交換器２１において貯湯回路１０ｂを循環する水と熱交換してこの水を加熱し、空気熱交換器２５において外気と熱交換して外気から熱を吸収する。
【００４８】
タンク１５には給水配管３７と給湯配管３５とが接続されている。給湯配管３５は、タンク１５の上部に接続されている。この給湯配管３５は、タンク１５内に貯留された高温の水を取り出して浴槽などへ給湯するために設けられている。給水配管３７は、タンク１５の底部に接続されている。この給水配管３７は、給水源からタンク１５内に低温の水を給水するために設けられている。タンク１５へ水を給水する給水源としては、例えば水道水や、井戸水などの地下水を利用することができる。本実施形態の給湯機１１は、給湯配管３５から給湯された水をタンク１５に戻さない一過式の給湯機であるが、これに限定されない。
【００４９】
電気分解システム１００は、水熱交換器２１に送る水に含まれるスケール成分を除去する機能を有する。図１に示すように、電気分解システム１００は、複数の電気分解装置４１と（例えば図４−図９参照）、上流側主流路２７Ａと、下流側主流路２７Ｂと、循環流路８１と、１つの循環用ポンプ８２とを備える。上流側主流路２７Ａは、タンク１５の水を複数の電気分解装置４１に送るための配管である。下流側主流路２７Ｂは、複数の電気分解装置４１の少なくとも１つを通った水を水熱交換器２１に送るための配管である。上流側主流路２７Ａ及び下流側主流路２７Ｂは、入水配管２７の一部又は全部を構成している。電気分解システム１００の詳細については後述する。
【００５０】
制御部３２は、中央演算処理装置３３やメモリ３４などを有する例えばマイクロコンピュータによって構成されている。メモリ３４には、タンク１５内の水を沸き上げる沸上げ運転のスケジュールなどが記憶されており、制御部３２は、そのスケジュールに基づいて沸上げ運転を実行する。なお、沸上げ運転は、スケジュールされた時期以外の時期においても必要に応じて実行される場合もある。通常運転は、例えば水使用量の少ない夜間の時間帯、電気料金が低い時間帯などに実行されるようにスケジュールされているのが好ましいが、これに限定されない。
【００５１】
本実施形態のヒートポンプ給湯機１１は、一過式の給湯機である。この一過式の給湯機１１では、給湯配管３５から給湯された水（湯）は、ユーザーによって使用され、タンク１５には戻らない。したがって、タンク１５から給湯配管３５を通じて給湯された水量とほぼ同じ量の水が給水源から給水配管３７を通じてタンク１５に給水される。すなわち、タンク１５には、水道水や井戸水などの給水源からスケール成分を含む水がタンク１５に補充される頻度が高く、補充される量も多い。したがって、一過式のヒートポンプ給湯機の場合には、循環式の冷却水循環装置や循環式の給湯機に比べて、効率よくスケール成分を除去する必要がある。
【００５２】
次に、ヒートポンプ給湯機１１の動作について説明する。タンク１５内の水を沸上げる通常運転では、制御部３２は、ヒートポンプユニット１３の圧縮機１９を駆動させ、電動膨張弁２３の開度を調節するとともに、貯湯ユニット１７のメインポンプ３１を駆動させる。これにより、図１に示すように、タンク１５の底部に設けられた出水口からタンク１５内の低温の水が入水配管２７を通じて水熱交換器２１に送られ、水熱交換器２１において加熱される。加熱された高温の水は出湯配管２９を通じてタンク１５の上部に設けられた入水口からタンク１５内に戻される。これにより、タンク１５内には、その上部から順に高温の水が貯湯される。
【００５３】
［電気分解装置］
図２は、電気分解システム１００に用いられる電気分解装置４１の一例を示す概略の斜視図である。この図２の概略斜視図では、電気分解装置４１のおおまかな外形のみを図示している。図３（Ａ）は、電気分解装置４１を鉛直方向に平行な平面で切断したときの断面図であり、図３（Ｂ）は、電気分解装置４１を水平方向に平行な平面で切断したときの断面図である。
【００５４】
図２及び図３（Ａ），（Ｂ）に示すように、電気分解装置４１は、容器４７と、容器４７内に設けられた複数の電極５１，５２とを有する。本実施形態では、複数の電気分解装置４１は図２及び図３（Ａ），（Ｂ）に示すような同じ構造を有しているが、互いに異なる構造を有していてもよい。
【００５５】
図３（Ａ），（Ｂ）に示すように、容器４７内には、複数の電極５１，５２によって水流路が形成されている。本実施形態では、水流路は、複数の電極５１，５２によって形成された一続きの蛇行流路であるが、水流路は蛇行流路に限られない。水流路は、例えば図１０に示す後述の変形例のように蛇行流路でない流路であってもよい。
【００５６】
また、本実施形態における蛇行流路は、図３（Ａ），（Ｂ）に示すように上下方向に蛇行しているが、これに限られない。蛇行流路は、例えば左右方向に蛇行していてもよい。左右方向に蛇行する場合には、図３（Ａ）が電気分解装置４１を水平方向に平行な平面で切断したときの断面図となり、図３（Ｂ）が電気分解装置４１を鉛直方向に平行な平面で切断したときの断面図となる。
【００５７】
本実施形態では、容器４７は略直方体形状を有するが、これに限定されない。容器４７は、互いに対向する第１壁部４７１及び第２壁部４７２を有する。また、容器４７は、第１壁部４７１と第２壁部４７２をつなぐ側壁部を有する。本実施形態では、側壁部は、下壁を構成する第３壁部４７３と、上壁を構成する第４壁部４７４と、左壁を構成する第５壁部４７５と、右壁を構成する第６壁部４７６とを含むが、これに限られない。
【００５８】
容器４７は、水入口４３と、水出口４５とを有する。容器４７の水入口４３は、第１壁部４７１に設けられており、水出口４５は、第２壁部４７２に設けられているが、これに限定されない。水入口４３及び水出口４５の一方又は両方は、前記側壁部に設けられていてもよい。
【００５９】
複数の電極５１，５２は、複数の第１電極５１と複数の第２電極５２とを含む。複数の第１電極５１及び複数の第２電極５２は、第１電極５１と第２電極５２が交互に配置されるように、一方向（電極の厚さ方向）に配列されている。本実施形態では、図３（Ａ）に示すように、複数の第１電極５１は、第３壁部４７３から第４壁部４７４側に向かって延びており、複数の第２電極５２は、第４壁部４７４から第３壁部４７３側に向かって延びている。本実施形態では、各電極は、第１壁部４７１に平行な姿勢で配置されているが、これに限定されない。
【００６０】
隣り合う電極５１，５２は、電極対４９を構成している。電極対４９の一方の電極が陽極として機能し、他方の電極が陰極として機能するように、複数の電極５１，５２が電源５０に接続される（例えば図４−図９参照）。電源５０としては、例えば直流電源が用いられる。
【００６１】
各電極は、耐食性に優れた材料により形成されている。各電極を主に構成する材料としては、白金、チタンなどが例示できる。具体的には次の通りである。例えば、各電極は、少なくとも表面が白金を主成分とする材料により形成されているのが好ましい。具体的に、各電極の全体が白金を主成分とする材料（白金、白金合金などの材料）により形成されている形態が例示できる。また、各電極が、白金よりもイオン化傾向の大きい材料（すなわち、水中において白金よりも酸化されやすい材料）により形成された電極本体と、この電極本体の表面に白金を主成分とする材料（白金、白金合金などの材料）により形成されたコーティング層とを有する形態が例示できる。電極本体の材料としては、例えばチタンを主成分とする材料（チタン、チタン合金などの材料）などが例示できる。また、水中において白金よりも酸化されやすいものの比較的耐食性に優れた材料として例えばチタンを主成分とする材料（チタン、チタン合金などの材料）などによって各電極が形成されていてもよい。
【００６２】
各電極の形状としては、例えば板形状、棒形状などの種々の形状を採用することができるが、本実施形態では板形状を採用している。これにより、各電極の表面積を大きくすることができる。また、本実施形態では、複数の第１電極５１及び複数の第２電極５２は、互いに平行な姿勢で配置されており、電極の厚さ方向に互いに間隔をあけて配列されている。電極同士の隙間は、水が流れる水流路として機能する。本実施形態では、容器４７内において水が蛇行しながら流れる蛇行流路が形成されるように複数の第１電極５１及び複数の第２電極５２が配置されている。
【００６３】
タンク１５内の水を沸き上げる沸上げ運転時には、電気分解装置４１の電極対４９に電圧が印加される。電気分解装置４１の電気分解条件としては、電極対４９に予め定められた電流値の電流を流す条件、電極対４９に予め定められた電圧が印加される条件、これらの条件を組み合わせた条件などが例示できるが、これらに限定されない。
【００６４】
沸上げ運転時には、水入口４３から容器４７内に流入した水が水出口４５から容器４７外に流出するまでの間に、水に含まれるスケール成分が電極対４９の陰極にスケールとして析出する。これにより、電気分解装置４１においてスケール成分濃度が低減された水を水熱交換器２１に送ることができる。
【００６５】
［第１実施形態］
図４は、本発明の第１実施形態に係る電気分解システム１００を示す断面図である。第１実施形態の電気分解システム１００は、複数の電気分解装置４１（図例では第１〜第３電気分解装置４１）を備える。
【００６６】
図４に示す第１実施形態では、複数の電気分解装置４１は、上流側主流路２７Ａ及び下流側主流路２７Ｂに対して並列に接続されている。具体的に、上流側主流路２７Ａの下流側端部は、複数に分岐した分岐路２７Ａ１，２７Ａ２，２７Ａ３を有し、下流側主流路２７Ｂの上流側端部は、複数に分岐した分岐路２７Ｂ１，２７Ｂ２，２７Ｂ３を有する。分岐路２７Ａ１は第１電気分解装置４１の水入口４３に接続され、分岐路２７Ａ２は第２電気分解装置４１の水入口４３に接続され、分岐路２７Ａ３は第３電気分解装置４１の水入口４３に接続されている。分岐路２７Ｂ１は第１電気分解装置４１の水出口４５に接続され、分岐路２７Ｂ２は第２電気分解装置４１の水出口４５に接続され、分岐路２７Ｂ３は第３電気分解装置４１の水出口４５に接続されている。
【００６７】
第１実施形態では、複数の電気分解装置４１は、１つの電源５０に対して並列に接続されている。例えば、電源５０の一方の極が、各電気分解装置４１の第１電極５１に接続され、電源５０の他方の極が、各電気分解装置４１の第２電極５２に接続されている。電源５０によって印加される電圧Ｅ１は、例えば制御部３２によって制御される。
【００６８】
循環流路８１は、複数の電気分解装置４１の少なくとも１つを通った水の一部をこれらの電気分解装置４１の上流側に戻すための配管である。循環用ポンプ８２は、循環流路８１に設けられている。
【００６９】
第１実施形態では、循環流路８１は、複数の（全ての）電気分解装置４１を直列に接続している。具体的に、循環流路８１は、流路８１１と、流路８１２と、流路８１３とを含む。流路８１１は、第１電気分解装置４１における水出口４５側の壁部（図例では第２壁部４７２）と第２電気分解装置４１における水入口４３側の壁部（図例では第１壁部４７１）とを接続している。流路８１２は、第２電気分解装置４１における水出口４５側の壁部（図例では第２壁部４７２）と第３電気分解装置４１における水入口４３側の壁部（図例では第１壁部４７１）とを接続している。流路８１３は、第３電気分解装置４１における水出口４５側の壁部（図例では第２壁部４７２）と第１電気分解装置４１における水入口４３側の壁部（図例では第１壁部４７１）とを接続している。
【００７０】
循環用ポンプ８２は、容器４７内において水入口４３側から水出口４５側に向かって水が流れるように循環流路８１内の水を送液する。循環用ポンプ８２は、制御部３２によって制御される。循環用ポンプ８２は、主流の流量Ｇｗよりも、循環流路８１を流れる循環流の流量Ｇｃが多くなるように循環流の流量Ｇｃを調節する。
【００７１】
循環流の流量Ｇｃは、循環流路８１の流路８１３（循環用ポンプ８２が設けられた流路８１３）を流れる水の流量である。主流の流量Ｇｗは、複数の電気分解装置４１のうち上流側主流路２７Ａが接続された電気分解装置４１に流入する水の流量である。図４に示す第１実施形態では、主流の流量Ｇｗは、主流路２７Ａの各分岐路を流れる水の流量である。具体的に、主流の流量Ｇｗは、第１電気分解装置４１の水入口４３に接続された分岐路２７Ａ１を流れる主流の流量であり、第２電気分解装置４１の水入口４３に接続された分岐路２７Ａ２を流れる主流の流量であり、第３電気分解装置４１の水入口４３に接続された分岐路２７Ａ３を流れる主流の流量である。
【００７２】
制御部３２は、循環ポンプ８２を制御して循環流の流量Ｇｃを所定の範囲に調節する。主流の流量Ｇｗに対する循環流量Ｇｃの倍率は、特に限定されない。ただし、容器４７内の水流路（本実施形態では蛇行流路）を流れる水が撹拌される効果を高める点で、循環流量Ｇｃは、主流の流量Ｇｗの５倍以上であるのが好ましく、主流の流量Ｇｗの１０倍以上であるのがより好ましい。この倍率の好ましい範囲は、第２〜第６実施形態においても同様である。
【００７３】
［第２実施形態］
図５は、本発明の第２実施形態に係る電気分解システム１００を示す断面図である。図５に示す第２実施形態の電気分解システム１００は、複数の電気分解装置４１（図例では第１〜第３電気分解装置４１）が上流側主流路２７Ａ及び下流側主流路２７Ｂに対して直列に接続されている点で、第１実施形態と相違する。
【００７４】
第２実施形態では、上流側主流路２７Ａの下流側端部は、第１電気分解装置４１（最上流の電気分解装置４１）の水入口４３に接続され、下流側主流路２７Ｂの上流側端部は、第３電気分解装置４１（最下流の電気分解装置４１）の水出口４５に接続されている。第１電気分解装置４１の水出口４５と第２電気分解装置４１の水入口４３は流路２８によって接続されており、第２電気分解装置４１の水出口４５と第３電気分解装置４１の水入口４３は流路２８によって接続されている。
【００７５】
第２実施形態では、各電気分解装置４１は個別の電源５０に接続されている。例えば、電源５０の一方の極が、電気分解装置４１の第１電極５１に接続され、電源５０の他方の極が、電気分解装置４１の第２電極５２に接続されている。電源５０によって印加される電圧Ｅ１，Ｅ２，Ｅ３は、制御部３２によって制御される。
【００７６】
例えば、制御部３２は、下流側の第３電気分解装置４１の電極対４９に印加する電圧Ｅ３が、第１電気分解装置４１の電極対４９に印加する電圧Ｅ１及び第２電気分解装置４１の電極対４９に印加する電圧Ｅ２よりも大きくなるように電源５０を制御することができる（Ｅ３＞Ｅ１、Ｅ３＞Ｅ２）。これにより、他の電気分解装置４１よりもスケール成分濃度が低くなる下流側の第３電気分解装置４１においてもスケール分解性能を高めることができる。また、制御部３２は、第３電気分解装置４１の電極対４９に印加する電圧Ｅ３、第２電気分解装置４１の電極対４９に印加する電圧Ｅ２、第１電気分解装置４１の電極対４９に印加する電圧Ｅ１がこの順に大きくなるように電源５０を制御することもできる（Ｅ３＞Ｅ２＞Ｅ１）。
【００７７】
なお、第２実施形態では、複数の電気分解装置４１は、１つの電源５０に対して並列に接続されていてもよい。
【００７８】
循環流路８１は、複数の電気分解装置４１を通った水の一部をこれらの電気分解装置４１の上流側に戻すための配管である。循環用ポンプ８２は、循環流路８１に設けられている。
【００７９】
第２実施形態では、循環流路８１は、全ての電気分解装置４１を直列に接続している。具体的に、循環流路８１は、流路８１１と、流路８１２と、流路８１３とを含む。流路８１１は、第１電気分解装置４１における水出口４５側の壁部（図例では第２壁部４７２）と第２電気分解装置４１における水入口４３側の壁部（図例では第１壁部４７１）とを接続している。流路８１２は、第２電気分解装置４１における水出口４５側の壁部（図例では第２壁部４７２）と第３電気分解装置４１における水入口４３側の壁部（図例では第１壁部４７１）とを接続している。流路８１３は、第３電気分解装置４１における水出口４５側の壁部（図例では第２壁部４７２）と第１電気分解装置４１における水入口４３側の壁部（図例では第１壁部４７１）とを接続している。
【００８０】
循環用ポンプ８２は、容器４７内において水入口４３側から水出口４５側に向かって水が流れるように循環流路８１内の水を送液する。循環用ポンプ８２は、主流の流量Ｇｗよりも、循環流路８１を流れる循環流の流量Ｇｃが多くなるように循環流の流量Ｇｃを調節する。
【００８１】
循環流の流量Ｇｃは、循環流路８１の流路８１３（循環用ポンプ８２が設けられた流路８１３）を流れる水の流量である。主流の流量Ｇｗは、複数の電気分解装置４１のうち上流側主流路２７Ａが接続された第１電気分解装置４１に流入する水の流量である。
【００８２】
［第３実施形態］
図６は、本発明の第３実施形態に係る電気分解システムを示す断面図である。図６に示す第３実施形態では、電気分解システム１００は、少なくとも４つの電気分解装置４１を備える。前記少なくとも４つの電気分解装置４１のうちの２つ以上の電気分解装置４１が直列に接続された第１セットと、これらとは別の２つ以上の電気分解装置４１が直列に接続された第２セットとが、上流側主流路２７Ａ及び下流側主流路２７Ｂに対して並列に接続されている。
【００８３】
具体的に、図６に示す第３実施形態の電気分解システム１００は、３つの電気分解装置４１が直列に接続された第１セット１Ｓと、３つの電気分解装置４１が直列に接続された第２セット２Ｓと、３つの電気分解装置４１が直列に接続された第３セット３Ｓとを含む。第３実施形態では、第１セット１Ｓ、第２セット２Ｓ及び第３セット３Ｓは、上流側主流路２７Ａ及び下流側主流路２７Ｂに対して並列に接続されている。具体的には次の通りである。
【００８４】
上流側主流路２７Ａの下流側端部は、複数に分岐した分岐路２７Ａ１，２７Ａ２，２７Ａ３を有し、下流側主流路２７Ｂの上流側端部は、複数に分岐した分岐路２７Ｂ１，２７Ｂ２，２７Ｂ３を有する。分岐路２７Ａ１は、第１セット１Ｓの最上流の電気分解装置４１の水入口４３に接続され、分岐路２７Ａ２は、第２セット２Ｓの最上流の電気分解装置４１の水入口４３に接続され、分岐路２７Ａ３は、第３セット３Ｓの最上流の電気分解装置４１の水入口４３に接続されている。分岐路２７Ｂ１は、第１セット１Ｓの最下流の電気分解装置４１の水出口４５に接続され、分岐路２７Ｂ２は、第２セット２Ｓの最下流の電気分解装置４１の水出口４５に接続され、分岐路２７Ｂ３は、第３セット３Ｓの最下流の電気分解装置４１の水出口４５に接続されている。
【００８５】
第１セット１Ｓの最上流の電気分解装置４１の水出口４５と、その下流の電気分解装置４１（２番目の電気分解装置４１）の水入口４３とは、流路２８によって接続されており、２番目の電気分解装置４１の水出口４５と、最下流の電気分解装置４１の水入口４３とは、流路２８によって接続されている。第２セット２Ｓ及び第３セット３Ｓについても第１セット１Ｓと同様である。
【００８６】
第１セット１Ｓの最上流の電気分解装置４１と、第２セットの最上流の電気分解装置４１と、第３セット３Ｓの最上流の電気分解装置４１とは、第１電源５０に対して並列に接続されている。第１セット１Ｓの２番目の電気分解装置４１と、第２セットの２番目の電気分解装置４１と、第３セット３Ｓの２番目の電気分解装置４１とは、第２電源５０に対して並列に接続されている。第１セット１Ｓの最下流の電気分解装置４１と、第２セット２Ｓの最下流の電気分解装置４１と、第３セット３Ｓの最下流の電気分解装置４１とは、第３電源５０に対して並列に接続されている。
【００８７】
例えば、制御部３２は、下流側の第３電気分解装置４１の電極対４９に印加する電圧Ｅ３が、第１電気分解装置４１の電極対４９に印加する電圧Ｅ１及び第２電気分解装置４１の電極対４９に印加する電圧Ｅ２よりも大きくなるように電源５０を制御することができる（Ｅ３＞Ｅ１、Ｅ３＞Ｅ２）。これにより、他の電気分解装置４１よりもスケール成分濃度が低くなる下流側の第３電気分解装置４１においてもスケール分解性能を高めることができる。また、制御部３２は、第３電気分解装置４１の電極対４９に印加する電圧Ｅ３、第２電気分解装置４１の電極対４９に印加する電圧Ｅ２、第１電気分解装置４１の電極対４９に印加する電圧Ｅ１がこの順に大きくなるように電源５０を制御することもできる（Ｅ３＞Ｅ２＞Ｅ１）。このような電源の制御は、後述の第４実施形態及び第５実施形態においても同様に行われてもよい。なお、第３実施形態（第４実施形態及び第５実施形態）では、複数の電気分解装置４１は、１つの電源５０に対して並列に接続されていてもよい。
【００８８】
第３実施形態の電気分解システム１００は、複数の循環流路（図例では、第１循環流路８１、第２循環流路８１及び第３循環流路８１）を備える。第１循環流路８１は、第１セット１Ｓの複数の電気分解装置４１を直列に接続している。第２循環流路８１は、第２セット２Ｓの複数の電気分解装置４１を直列に接続している。第３循環流路８１は、第３セット３Ｓの複数の電気分解装置４１を直列に接続している。
【００８９】
第１循環流路８１は、流路８１１と、流路８１２と、流路８１３とを含む。流路８１１は、第１セット１Ｓの最上流の電気分解装置４１における水出口４５側の壁部（図例では第２壁部４７２）と第１セット１Ｓの２番目の電気分解装置４１における水入口４３側の壁部（図例では第１壁部４７１）とを接続している。流路８１２は、第１セット１Ｓの２番目の電気分解装置４１における水出口４５側の壁部（図例では第２壁部４７２）と第１セット１Ｓの最下流の電気分解装置４１における水入口４３側の壁部（図例では第１壁部４７１）とを接続している。流路８１３は、第１セット１Ｓの最下流の電気分解装置４１における水出口４５側の壁部（図例では第２壁部４７２）と第１セット１Ｓの最上流の電気分解装置４１における水入口４３側の壁部（図例では第１壁部４７１）とを接続している。第２セット２Ｓ及び第３セット３Ｓについても第１セット１Ｓと同様である。
【００９０】
第３実施形態の電気分解システム１００は、第１セット１Ｓの第１循環用ポンプ８２と、第２セット２Ｓの第２循環用ポンプ８２と、第３セット３Ｓの第３循環用ポンプ８２とを備える。各循環用ポンプ８２は、容器４７内において水入口４３側から水出口４５側に向かって水が流れるように循環流路８１内の水を送液する。
【００９１】
各循環用ポンプ８２は、主流の流量Ｇｗよりも、循環流路８１を流れる循環流の流量Ｇｃが多くなるように循環流の流量Ｇｃを調節する。具体的に、第１循環用ポンプ８２は、第１セット１Ｓの第１循環流路８１を流れる第１循環流の流量Ｇｃが主流の流量Ｇｗよりも多くなるように第１循環流の流量Ｇｃを調節する。第１循環流の流量Ｇｃは、第１循環流路８１の流路８１３（循環用ポンプ８２が設けられた流路８１３）を流れる水の流量である。主流の流量Ｇｗは、上流側主流路２７Ａが接続された第１セット１Ｓの最上流の電気分解装置４１に流入する水の流量である。すなわち、主流の流量Ｇｗは、第１セット１Ｓの最上流の電気分解装置４１の水入口４３に接続された分岐路２７Ａ１を流れる主流の流量である。
【００９２】
第２循環用ポンプ８２は、第２セット２Ｓの第２循環流路８１を流れる第２循環流の流量Ｇｃが主流の流量Ｇｗよりも多くなるように第２循環流の流量Ｇｃを調節する。第２循環流の流量Ｇｃは、第２循環流路８１の流路８１３（循環用ポンプ８２が設けられた流路８１３）を流れる水の流量である。主流の流量Ｇｗは、上流側主流路２７Ａが接続された第２セット２Ｓの最上流の電気分解装置４１に流入する水の流量である。すなわち、主流の流量Ｇｗは、第２セット２Ｓの最上流の電気分解装置４１の水入口４３に接続された分岐路２７Ａ２を流れる主流の流量である。
【００９３】
第３循環用ポンプ８２は、第３セット３Ｓの第３循環流路８１を流れる第３循環流の流量Ｇｃが主流の流量Ｇｗよりも多くなるように第３循環流の流量Ｇｃを調節する。第３循環流の流量Ｇｃは、第３循環流路８１の流路８１３（循環用ポンプ８２が設けられた流路８１３）を流れる水の流量である。主流の流量Ｇｗは、上流側主流路２７Ａが接続された第３セット３Ｓの最上流の電気分解装置４１に流入する水の流量である。すなわち、主流の流量Ｇｗは、第３セット３Ｓの最上流の電気分解装置４１の水入口４３に接続された分岐路２７Ａ３を流れる主流の流量である。
【００９４】
［第４実施形態］
図７は、本発明の第４実施形態に係る電気分解システム１００を示す断面図である。第４実施形態の電気分解システム１００は、循環流路８１の接続形態が第３実施形態と異なっており、その他の構成は第３実施形態と同様である。以下、主に第３実施形態との相違点について説明する。
【００９５】
第４実施形態の電気分解システム１００は、複数の循環流路（図例では、第１循環流路８１、第２循環流路８１及び第３循環流路８１）を備える。第１循環流路８１は、第１セット１Ｓの最上流の電気分解装置４１と、第２セット２Ｓの最上流の電気分解装置４１と、第３セット３Ｓの最上流の電気分解装置４１とを直列に接続している。第２循環流路８１は、第１セット１Ｓの２番目の電気分解装置４１と、第２セット２Ｓの２番目の電気分解装置４１と、第３セット３Ｓの２番目の電気分解装置４１とを直列に接続している。第３循環流路８１は、第１セット１Ｓの最下流の電気分解装置４１と、第２セット２Ｓの最下流の電気分解装置４１と、第３セット３Ｓの最下流の電気分解装置４１とを直列に接続している。
【００９６】
第１循環流路８１は、流路８１１と、流路８１２と、流路８１３とを含む。第１循環流路８１の流路８１１は、第１セット１Ｓの最上流の電気分解装置４１における水出口４５側の壁部（図例では第２壁部４７２）と第２セット２Ｓの最上流の電気分解装置４１における水入口４３側の壁部（図例では第１壁部４７１）とを接続している。第１循環流路８１の流路８１２は、第２セット２Ｓの最上流の電気分解装置４１における水出口４５側の壁部（図例では第２壁部４７２）と第３セット３Ｓの最上流の電気分解装置４１における水入口４３側の壁部（図例では第１壁部４７１）とを接続している。第１循環流路８１の流路８１３は、第３セット３Ｓの最上流の電気分解装置４１における水出口４５側の壁部（図例では第２壁部４７２）と第１セット１Ｓの最上流の電気分解装置４１における水入口４３側の壁部（図例では第１壁部４７１）とを接続している。
【００９７】
第２循環流路８１は、流路８１１と、流路８１２と、流路８１３とを含み、各セットの２番目の電気分解装置４１を、上記と同様に直列に接続している。第３循環流路８１は、流路８１１と、流路８１２と、流路８１３とを含み、各セットの最下流の電気分解装置４１を、上記と同様に直列に接続している。
【００９８】
第４実施形態の電気分解システム１００は、第１循環流路８１に設けられた第１循環用ポンプ８２と、第２循環流路８１に設けられた第２循環用ポンプ８２と、第３循環流路８１に設けられた第３循環用ポンプ８２とを備える。各循環用ポンプ８２は、容器４７内において水入口４３側から水出口４５側に向かって水が流れるように循環流路８１内の水を送液する。
【００９９】
各循環用ポンプ８２は、主流の流量Ｇｗよりも、循環流路８１を流れる循環流の流量Ｇｃが多くなるように循環流の流量Ｇｃを調節する。具体的に、第１循環用ポンプ８２は、第１循環流路８１を流れる第１循環流の流量Ｇｃが主流の流量Ｇｗよりも多くなるように第１循環流の流量Ｇｃを調節する。第１循環流の流量Ｇｃは、第１循環流路８１の流路８１３（循環用ポンプ８２が設けられた流路８１３）を流れる水の流量である。主流の流量Ｇｗは、上流側主流路２７Ａが接続された電気分解装置４１に流入する水の流量である。図７に示す第４実施形態では、主流の流量Ｇｗは、主流路２７Ａの各分岐路を流れる水の流量である。具体的に、主流の流量Ｇｗは、第１セット１Ｓの最上流の電気分解装置４１の水入口４３に接続された分岐路２７Ａ１を流れる主流の流量であり、第２セット２Ｓの最上流の電気分解装置４１の水入口４３に接続された分岐路２７Ａ２を流れる主流の流量であり、第３セット３Ｓの最上流の電気分解装置４１の水入口４３に接続された分岐路２７Ａ３を流れる主流の流量である。
【０１００】
第２循環用ポンプ８２は、第２循環流路８１を流れる第２循環流の流量Ｇｃが主流の流量Ｇｗよりも多くなるように第２循環流の流量Ｇｃを調節する。第２循環流の流量Ｇｃは、第２循環流路８１の流路８１３（循環用ポンプ８２が設けられた流路８１３）を流れる水の流量である。第３循環用ポンプ８２は、第３セット３Ｓの第３循環流路８１を流れる第３循環流の流量Ｇｃが主流の流量Ｇｗよりも多くなるように第３循環流の流量Ｇｃを調節する。第３循環流の流量Ｇｃは、第３循環流路８１の流路８１３（循環用ポンプ８２が設けられた流路８１３）を流れる水の流量である。
【０１０１】
［第５実施形態］
図８は、本発明の第５実施形態に係る電気分解システムを示す断面図である。第５実施形態の電気分解システム１００は、循環流路８１の接続形態が第３実施形態と異なっており、その他の構成は第３実施形態と同様である。以下、主に第３実施形態との相違点について説明する。
【０１０２】
第５実施形態の電気分解システム１００は、１つの循環流路のみを備える。循環流路８１は、第１セット１Ｓの複数の（全ての）電気分解装置４１と、第２セット２Ｓの複数の（全ての）電気分解装置４１と、第３セット３Ｓの複数の（全ての）電気分解装置４１とを直列に接続している。第５実施形態では、循環流路８１は、全ての電気分解装置４１を直列に接続している。以下、直列接続の接続例を示すが、以下の接続例に限定されるものではない。
【０１０３】
図８に示す接続例では、循環流路８１は、第１セット１Ｓの最上流の電気分解装置４１、第２セット２Ｓの最上流の電気分解装置４１、第３セット３Ｓの最上流の電気分解装置４１、第セット１Ｓの２番目の電気分解装置４１、第２セット２Ｓの２番目の電気分解装置４１、第３セット３Ｓの２番目の電気分解装置４１、第１セット１Ｓの最下流の電気分解装置４１、第２セット２Ｓの最下流の電気分解装置４１、第３セット３Ｓの最下流の電気分解装置４１の順に、これらを直列に接続している。
【０１０４】
第５実施形態の電気分解システム１００は、循環流路８１に設けられた１つの循環用ポンプ８２を備える。循環用ポンプ８２は、容器４７内において水入口４３側から水出口４５側に向かって水が流れるように循環流路８１内の水を送液する。
【０１０５】
循環用ポンプ８２は、主流の流量Ｇｗよりも、循環流路８１を流れる循環流の流量Ｇｃが多くなるように循環流の流量Ｇｃを調節する。循環流の流量Ｇｃは、第３セット３Ｓの最下流の電気分解装置４１と第１セット１Ｓの最上流の電気分解装置４１を接続する循環流路８１の流路８１３（循環用ポンプ８２が設けられた流路８１３）を流れる水の流量である。主流の流量Ｇｗは、上流側主流路２７Ａが接続された電気分解装置４１に流入する水の流量である。図８に示す第５実施形態では、主流の流量Ｇｗは、主流路２７Ａの各分岐路を流れる水の流量である。主流の流量Ｇｗは、第１セット１Ｓの最上流の電気分解装置４１の水入口４３に接続された分岐路２７Ａ１を流れる主流の流量であり、第２セット２Ｓの最上流の電気分解装置４１の水入口４３に接続された分岐路２７Ａ２を流れる主流の流量であり、第３セット３Ｓの最上流の電気分解装置４１の水入口４３に接続された分岐路２７Ａ３を流れる主流の流量である。
【０１０６】
［第６実施形態］
図９は、本発明の第６実施形態に係る電気分解システムを示す断面図である。第６実施形態の電気分解システム１００は、循環流路８１の接続形態が第１実施形態と異なっており、その他の構成は第１実施形態と同様である。以下、主に第１実施形態との相違点について説明する。第６実施形態では、循環流路８１は、複数の電気分解装置４１を循環用ポンプ８２に対して並列に接続している。
【０１０７】
この第６実施形態においても、循環用ポンプ８２は、主流の流量Ｇｗよりも、循環流路８１を流れる循環流の流量Ｇｃが多くなるように循環流の流量Ｇｃを調節する。図９に示すように、循環流の流量Ｇｃは、分岐した後の循環流路８１（合流前の循環流路８１）を流れる水の流量である。主流の流量Ｇｗは、上流側主流路２７Ａが接続された電気分解装置４１に流入する水の流量である。図９に示す第６実施形態では、主流の流量Ｇｗは、主流路２７Ａの各分岐路を流れる水の流量である。主流の流量Ｇｗは、第１セット１Ｓの最上流の電気分解装置４１の水入口４３に接続された分岐路２７Ａ１を流れる主流の流量であり、第２セット２Ｓの最上流の電気分解装置４１の水入口４３に接続された分岐路２７Ａ２を流れる主流の流量であり、第３セット３Ｓの最上流の電気分解装置４１の水入口４３に接続された分岐路２７Ａ３を流れる主流の流量である。
【０１０８】
［実施形態のまとめ］
前記実施形態では、上流側主流路２７Ａが接続された電気分解装置４１に流入する主流の流量よりも、循環流路８１を流れる循環流の流量が多くなるように循環用ポンプ８２によって循環流の流量を調節することにより、電極５１，５２間の水流路を流れる水の流速が高められる。これにより、水流路において水が撹拌され、陰極側の領域のスケール成分濃度と、陽極側の領域のスケール成分濃度との差が低減される。その結果、陰極側の領域のスケール成分濃度が、循環流路８１及び循環用ポンプ８２を備えていない場合に比べて高くなるので、スケール成分除去効率が向上する。よって、電気分解効率を高めるために、電極面積を大きくする、電極枚数を多くするなどの対策が不要になる。
【０１０９】
また、前記実施形態では、複数の電気分解装置４１における水の循環が、１つの循環用ポンプ８２によって行われるので、複数の電気分解装置４１のそれぞれに循環用ポンプ８２を設ける場合に比べて、循環用ポンプ８２に起因するコストアップを抑制し、循環用ポンプ８２を設置するために必要なスペースを小さくすることができる。
【０１１０】
第１〜第５実施形態では、循環流路８１は、複数の電気分解装置４１を直列に接続している。この構成では、循環流路８１が複数の電気分解装置４１を直列に接続しているので、循環流路８１が複数の電気分解装置４１を並列に接続している第６実施形態に比べて、循環流の総量が同じ場合、各電気分解装置４１を循環する循環流の流量を大きくすることができる。したがって、循環流路８１による直列接続は、循環流路８１による並列接続に比べて、各電気分解装置４１において水流路を流れる水を撹拌する効果を高くすることができる。
【０１１１】
また、各電気分解装置４１を流れる循環流の流量が同じという前提で比較すると、循環流路８１による直列接続は、循環流路８１による並列接続に比べて、循環流の総量を小さくすることができる。
【０１１２】
第１、第３〜第６実施形態では、複数の電気分解装置４１が主流路２７Ａ，２７Ｂに対して並列に接続されている。このように主流路２７Ａ，２７Ｂに対する並列接続では、上流側主流路２７Ａを流れる水は、複数の電気分解装置４１に分流されるので、各電気分解装置４１を流れる水の量が小さくなりやすい。したがって、主流路２７Ａ，２７Ｂに対する並列接続においては、上述のような循環流路８１及び循環用ポンプ８２によって各電気分解装置４１を流れる水量を増大させて電極間の水流路を流れる水の流速を高める意義は大きい。
【０１１３】
第２実施形態では、複数の電気分解装置４１は、上流側主流路２７Ａ及び下流側主流路２７Ｂに対して直列に接続されている。このように主流路２７Ａ，２７Ｂに対する直列接続では、主流路２７Ａ，２７Ｂを流れる水の総量が同じ場合、上述したような主流路２７Ａ，２７Ｂに対する並列接続に比べて、各電気分解装置４１を流れる水の量が大きく、しかも、循環流路８１及び循環用ポンプ８２によって各電気分解装置４１を流れる水量を増大させて電極間の水流路を流れる水の流速をさらに高めることができる。
【０１１４】
第１，第３〜第６実施形態では、複数の電気分解装置４１が主流路２７Ａ，２７Ｂに対して並列に接続されている。このような電気分解システム１００において、複数の電気分解装置４１は、電源５０に対して並列に接続されているのが好ましい。この構成では、複数の電気分解装置４１と電源５０とによって並列の電気回路が形成されている。この場合、電源によってそれぞれの電気分解装置４１に対して同じ電圧がかかる。したがって、複数の電気分解装置４１において電気分解の性能に差が生じて、何れかの電気分解装置４１内を流れる水におけるスケール成分の濃度が、他の電気分解装置４１内を流れる水におけるスケール成分の濃度に比べて大きく低下した場合、その電気分解装置４１内の水における電気伝導率が低下する。電気伝導率が低下した電気分解装置４１では、電流値が低下するので、電気分解効率が低下して他の電気分解装置４１における電気分解効率とのバランスがとられる。
【０１１５】
［変形例］
なお、本発明は、前記実施形態に限られるものではなく、その趣旨を逸脱しない範囲で種々変更、改良等が可能である。
【０１１６】
前記実施形態では、各電気分解装置４１の水流路が蛇行流路である場合を例示したが、これに限られない。各電気分解装置４１の水流路は、蛇行流路ではなくてもよい。例えば図１０に示す電気分解装置の変形例では、電気分解装置４１の容器４７内の水流路は、容器４７の側壁（図１０では壁部４７３，４７４）に沿って延びる複数の流路によって構成されている。図１０では、複数の流路は、容器４７の側壁に略平行であるが、これに限られず、側壁に対して傾斜していてもよい。複数の流路のそれぞれは、隣り合う電極５１，５２によって形成されている。
【０１１７】
また、電気分解装置４１の電極は、例えば図１１に示す電極の変形例のようなものであってもよい。この変形例では、電気分解装置４１は、厚み方向に貫通する複数の通水孔Ｃが設けられた電極５１，５２を有する。この変形例では、蛇行流路において、電極５１，５２間の水流路（第１水流路）を流れる水の一部が、その隣の水流路（電極５１，５２の第２水流路）に、複数の通水孔Ｃを通じて流入するので、第２水流路を流れる水を撹拌する効果をさらに高めることができる。
【０１１８】
また、電気分解装置４１の電極は、例えば図１２（Ａ），（Ｂ）に示す電極の変形例のようなものであってもよい。図１２（Ａ），（Ｂ）に示す変形例では、電極５１，５２に、複数の凹部６１及び複数の凸部６２の少なくとも一方が設けられている。この変形例では、複数の凹部６１及び複数の凸部６２によって電極５１，５２間の水流路を流れる水が撹拌される。これにより、陰極側の領域のスケール成分濃度と、陽極側の領域のスケール成分濃度との差が低減される。その結果、陰極側の領域のスケール成分濃度は、撹拌される前に比べて高くなるので、スケール成分除去効率が向上する。
【０１１９】
前記実施形態では、温度調節水供給機がヒートポンプ給湯機１１である場合を例示したが、これに限定されない。温度調節水供給機としては、スケール成分を除去する必要がある他の用途、例えばヒートポンプ温水暖房機、燃焼式給湯機、燃焼式温水暖房機、電気温水機、冷却塔などにも適用することができる。
【０１２０】
前記ヒートポンプ温水暖房機では、例えば図１に示す構成図において、タンク１５内に貯留された高温の水が暖房用途などに用いられる。
【０１２１】
前記燃焼式の給湯機及び燃焼式の温水暖房機は、図１３に示すように、上述したような電気分解システム１００と、電気分解システム１００よりも下流側に設けられる水熱交換器２１Ａとを備える。燃焼式の給湯機及び燃焼式の温水暖房機では、水熱交換器２１Ａにおいて燃料用のガスなどを燃焼させることにより得られる熱エネルギーを用いて水が加熱される。
【０１２２】
また、前記電気温水機は、図１３に示すように、上述したような電気分解システム１００と、電気分解システム１００よりも下流側に設けられる水熱交換器２１Ａとを備える。前記電気温水機では、水熱交換器２１Ａにおいて電気エネルギーを用いて水が加熱される。
【０１２３】
前記冷却塔は、例えば図１３に示すように、上述したような電気分解システム１００と、電気分解システム１００よりも下流側に設けられる水熱交換器２１Ａとを備える。前記冷却塔では、水熱交換器２１Ａにおいて、他の装置で発生した熱を搬送してきた流体と熱交換することにより水が加熱される。
【０１２４】
前記実施形態では、ヒートポンプ給湯機１１の水の流路において、メインポンプ３１よりも下流側で水熱交換器２１よりも上流側に位置する入水配管２７に電気分解システム１００を設ける場合を例に挙げて説明したが、これに限定されない。電気分解装置４１は、水の流路において水熱交換器２１よりも上流側に設けられていればよい。具体的に、電気分解システム１００は、例えばメインポンプ３１よりも上流側の入水配管２７に設けられていてもよく、また、給水源からタンク１５に水を供給する給水配管３７に設けられていてもよい。
【０１２５】
前記実施形態では、容器４７が略直方体の形状を有している場合を例に挙げて説明したが、これに限定されない。容器４７は、直方体以外の角柱形状であってもよく、円柱形状であってもよい。
【０１２６】
また、前記実施形態では、一過式の給湯機を例に挙げて説明したが、これに限定されない。本発明は、例えば給湯配管３５から給湯された水（湯）の一部が再びタンク１５に戻されるタイプの給湯機にも適用することができる。
【０１２７】
前記実施形態では、循環流路８１は、容器４７に接続されているが、これに限られない。循環流路８１は、上流側主流路２７Ａ、下流側主流路２８Ｂなどに接続されていてもよい。
【符号の説明】
【０１２８】
１１  ヒートポンプ給湯機
１５  タンク
１９  圧縮機
２１  水熱交換器
２７  入水配管
２９  出湯配管
３１  メインポンプ
３２  制御部
４１  電気分解装置
４３  水入口
４５  水出口
４７  容器
４９  電極対
５１，５２  電極
５３  通水孔
６１  凹部
６２  凸部
６３  撹拌部材
８０  循環機構
８１  循環流路
８２  循環ポンプ
【図１】
2015047576.tif 000003
【図２】
2015047576.tif 000004
【図３】
2015047576.tif 000005
【図４】
2015047576.tif 000006
【図５】
2015047576.tif 000007
【図６】
2015047576.tif 000008
【図７】
2015047576.tif 000009
【図８】
2015047576.tif 000010
【図９】
2015047576.tif 000011
【図１０】
2015047576.tif 000012
【図１１】
2015047576.tif 000013
【図１２】
2015047576.tif 000014
【図１３】
2015047576.tif 000015